(57)【要約】【課題】  需要家による停電時の代替電源の確保を容易にし、かつ、電力会社から確実に代替電源を需要家に提供することを可能にする系統電力代替電源装置、系統電力代替電源装置を用いたレンタルシステム、および系統電力代替方法を提供する。【解決手段】  あらかじめ充電された直流電力を交流電力に変換して代替電力として出力可能な代替電源装置１０と、宅外に設けられ、系統電力の停電を検知すると、代替電力の出力を代替電源装置１０に指示すると共に、代替電源装置１０からの代替電力を出力する屋外装置２０と、宅内に設けられ、系統電力を所定機器に出力し、屋外装置２０が停電を検知すると、屋外装置２０が出力する代替電力を所定機器に供給する屋内装置３０とを備える。【選択図】  図１
2007259573.tif 000002
【特許請求の範囲】
【請求項１】
あらかじめ充電された直流電力を交流電力に変換して代替電力として出力可能な代替電源装置と、
宅外に設けられ、系統電力の停電を検知すると、代替電力の出力を代替電源装置に指示すると共に、前記代替電源装置からの代替電力を出力する屋外装置と、
宅内に設けられ、系統電力を所定機器に出力し、前記屋外装置が停電を検知すると、前記屋外装置が出力する代替電力を前記所定機器に供給する屋内装置と、
を備えることを特徴とする系統電力代替電源装置。
【請求項２】
前記代替電源装置は、前記屋外装置からの指示で直流電力を交流電力に変換して代替電力を出力する代替電源回路と、
前記代替電源回路を内部に備える容器と、
前記屋外装置からの指示を前記代替電源回路に送る信号線と、代替電力を前記屋外装置に送る電源ケーブルとからなる複合ケーブルと、
を備え、
前記代替電源装置は、前記複合ケーブルに設けられたプラグにより、前記屋外装置に対して着脱自在であることを特徴とする請求項１に記載の系統電力代替電源装置。
【請求項３】
前記屋内装置は、機器に系統電力を出力する第１のブレーカと、前記機器とは別の機器に系統電力を出力する第２のブレーカとを備え、前記屋外装置が停電を検知すると、前記第１のブレーカに代替電力を供給すると共に前記第２のブレーカに対する電力供給を停止することを特徴とする請求項１または２に記載の系統電力代替電源装置。
【請求項４】
あらかじめ充電された直流電力を交流電力に変換して代替電力として出力可能な代替電源装置を用いた系統電力代替方法であって、
系統電力を所定機器に供給し、
系統電力の停電を検知すると、代替電力の出力を前記代替電源装置に指示し、
前記代替電源装置からの代替電力を前記所定機器に供給する、
ことを特徴とする系統電力代替方法。
【請求項５】
請求項１〜３の系統電力代替電源装置を用いたレンタルシステムであって、
前記屋外装置および前記屋内装置を電力会社が需要家宅に設置する事前段階と、
前記需要家の依頼により、あらかじめ充電された前記代替電源装置を前記電力会社が前記需要家宅の前記代替電源装置に設置する代替電源手配・設置段階と、
前記需要家の了解および依頼のどちらかにより、前記需要家宅の屋外装置に設置されている前記代替電源装置を撤去する代替電源撤去段階と、
を含むことを特徴とする系統電力代替電源装置を用いたレンタルシステム。
【発明の詳細な説明】
【技術分野】
【０００１】
この発明は、配電線事故時または災害時の系統電力停電や作業停電の際に、需要家に電力を供給する系統電力代替電源装置、系統電力代替電源装置を用いたレンタルシステム、および系統電力代替方法に関する。
【背景技術】
【０００２】
コンピュータ等の電気機器は、例えばデータの処理中に停電が発生すると、データが失われたりする場合がある。そこで、配電線事故時または災害時の系統電力停電や作業停電などに備えるために、需要家が代替電源を用意して停電に対応している（例えば、特許文献１参照。）。一般的には代替電源として、電圧と周波数とを安定化したＣＶＣＦ（Ｃｏｎｓｔａｎｔ−Ｖｏｌｔａｇｅ  Ｃｏｎｓｔａｎｔ−Ｆｒｅｑｕｅｎｃｙ）や、エンジンで発電機を回転駆動するエンジン発電機が多く用いられている。
【特許文献１】特開平７−３０８０３４号公報
【発明の開示】
【発明が解決しようとする課題】
【０００３】
ところで、先に述べたＣＶＣＦやエンジン発電機では装置が大型であり、また、需要家による取り扱いが難しい。さらに、ＣＶＣＦやエンジン発電機には保守などが必要であり、需要家の負担が増えることになる。こうした状況は、停電時の代替電源の確保を電力会社が需要家に任せている点にも一因がある。
【０００４】
この発明の目的は、前記の課題を解決し、需要家による停電時の代替電源の確保を容易にし、かつ、電力会社から確実に代替電源を需要家に提供することを可能にする系統電力代替電源装置、系統電力代替電源装置を用いたレンタルシステム、および系統電力代替方法を提供することにある。
【課題を解決するための手段】
【０００５】
前記の課題を解決するために、請求項１の発明は、あらかじめ充電された直流電力を交流電力に変換して代替電力として出力可能な代替電源装置と、宅外に設けられ、系統電力の停電を検知すると、代替電力の出力を代替電源装置に指示すると共に、前記代替電源装置からの代替電力を出力する屋外装置と、宅内に設けられ、系統電力を所定機器に出力し、前記屋外装置が停電を検知すると、前記屋外装置が出力する代替電力を前記所定機器に供給する屋内装置とを備えることを特徴とする系統電力代替電源装置である。
【０００６】
請求項１の発明では、代替電源装置を屋外装置に接続しておく。また、通常、屋内装置が所定機器に系統電力を供給する。こうした状態のときに、屋外装置は、系統電力の停電を検知すると、代替電力の出力を代替電源装置に指示すると共に、代替電源装置からの代替電力を屋内装置に出力する。屋内装置は、屋外装置が停電を検知すると、屋外装置が出力する代替電力を所定機器に供給する。
【０００７】
請求項２の発明は、請求項１に記載の系統電力代替電源装置において、前記代替電源装置は、前記屋外装置からの指示で直流電力を交流電力に変換して代替電力を出力する代替電源回路と、前記代替電源回路を内部に備える容器と、前記屋外装置からの指示を前記代替電源回路に送る信号線と、代替電力を前記屋外装置に送る電源ケーブルとからなる複合ケーブルとを備え、前記代替電源装置は、前記複合ケーブルに設けられたプラグにより、前記屋外装置に対して着脱自在であることを特徴とする。
【０００８】
請求項３発明は、請求項１または２に記載の系統電力代替電源装置において、前記屋内装置は、機器に系統電力を出力する第１のブレーカと、前記機器とは別の機器に系統電力を出力する第２のブレーカとを備え、前記屋外装置が停電を検知すると、前記第１のブレーカに代替電力を供給すると共に前記第２のブレーカに対する電力供給を停止することを特徴とする。
【０００９】
請求項４の発明は、あらかじめ充電された直流電力を交流電力に変換して代替電力として出力可能な代替電源装置を用いた系統電力代替方法であって、系統電力を所定機器に供給し、系統電力の停電を検知すると、代替電力の出力を前記代替電源装置に指示し、前記代替電源装置からの代替電力を前記所定機器に供給することを特徴とする系統電力代替方法である。
【００１０】
請求項５の発明は、請求項１〜３の系統電力代替電源装置を用いたレンタルシステムであって、前記屋外装置および前記屋内装置を電力会社が需要家宅に設置する事前段階と、前記需要家の依頼により、あらかじめ充電された前記代替電源装置を前記電力会社が前記需要家宅の前記代替電源装置に設置する代替電源手配・設置段階と、前記需要家の了解および依頼のどちらかにより、前記需要家宅の屋外装置に設置されている前記代替電源装置を撤去する代替電源撤去段階とを含むことを特徴とする系統電力代替電源装置を用いたレンタルシステムである。
【発明の効果】
【００１１】
請求項１および請求項４の発明によれば、系統電力で動作していた所定機器に代替電力を供給することができるので、所定機器に対しては電力の無停電切替が可能である。また、代替電源装置が宅外に設置されるので、代替電源装置の撤去および交換を容易に行うことができる。
【００１２】
請求項２の発明によれば、代替電源装置は代替電源回路を内部に備える容器を備え、かつ、代替電源装置が屋外装置に対して着脱自在であるので、代替電源装置の撤去や交換を容器の移動で行い、良好な作業性を得ることができる。また、代替電源装置の取り扱いも容易である。
【００１３】
請求項３の発明によれば、停電による影響の大きい機器、例えばコンピュータや各種のデジタル機器への電力を第１のブレーカから供給し、停電による影響の少ない機器、例えばキッチンで使用される機器への電力を第２のブレーカから供給するようにしておけば、第１のブレーカから電力供給を受ける機器に対して電力の無停電切替が可能である。
【００１４】
請求項５の発明によれば、代替電源装置を介在させた代替電力のレンタルサービスを電力会社から需要家に提供することを可能にする。この場合、代替電源装置が交流電力を代替電力として出力するので、系統電力と同様に代替電力の料金計算が容易である。
【発明を実施するための最良の形態】
【００１５】
次に、この発明の実施の形態について、図面を用いて詳しく説明する。
【００１６】
（実施の形態１）
この実施の形態による系統電力代替電源装置を図１に示す。図１の系統電力代替電源装置は、代替電源装置１０と屋外装置２０と屋内装置３０とを備えている。
【００１７】
代替電源装置１０は、図２に示すように、住宅１の外側に置かれて使用される。代替電源装置１０は、バッテリ１１とコンバータ１２と監視部１３とを備えている。バッテリ１１、コンバータ１２、および監視部１３は、耐候性のある容器１４内に収納されている。容器１４の底面には運搬用のコロ１４Ａが設けられ、これにより人手による容器１４の移動が容易である。コンバータ１２と監視部１３とには、容器１４の内側から外側に延びている複合ケーブル１５が接続され、さらに、複合ケーブル１５にはプラグ１６が接続されている。プラグ１６は屋外装置２０のコネクタ２０1に接続される。複合ケーブル１５は、コンバータ１２に接続されている電源ケーブル１５Ａと、監視部１３に接続されている信号線１５Ｂとからなる。プラグ１６の２つ刃部分１６Ａは電源ケーブル１５Ａを介したコンバータ１２からの交流電圧の出力用であり、プラグ１６の刃部分１６Ｂは信号線１５Ｂを介した監視部１３からの監視信号などの入出力用である。また、容器１４の側壁には、バッテリ１１の充電用のコネクタ１７が設けられている。
【００１８】
こうした構造の代替電源装置１０は、コロ１４Ａにより移動が容易であり、また、プラグ１６により屋外装置２０との着脱が簡単である。
【００１９】
代替電源装置１０のバッテリ１１とコンバータ１２とは、図３に示すように、代替電源部１８を構成し、さらに、代替電源部１８と監視部１３とは代替電源回路１９を構成する。バッテリ１１はコネクタ１７を介して充電される。また、バッテリ１１は直流電力をコンバータ１２に供給する。コンバータ１２は、バッテリ１１からの直流電力を交流電力に変換して、系統電力と同等の代替電力として電源ケーブル１５Ａに出力する。監視部１３は、バッテリ１１の電圧や内部抵抗等を検出し、バッテリ１１の残容量および残時間を算出する。そして、監視部１３は算出結果を監視信号として信号線１５Ｂに送る。また、監視部１３は、屋外装置２０の指示によりコンバータ１２の制御を行うと共に、コンバータ１２の動作を監視する。監視部１３は、信号線１５Ｂを介して給電開始を表す給電制御信号を屋外装置２０から受け取ると、コンバータ１２の動作を開始し、また、給電終了を表す給電制御信号を受け取ると、コンバータ１２の動作を停止する。さらに、監視部１３は、後述する問合わせ信号を屋外装置２０から受け取ると、応答信号を屋外装置２０に返す。
【００２０】
次に、屋外装置２０について説明する。屋外装置２０は、住宅１の外壁などに設置されて用いられる。宅外で使用される屋外装置２０は、電柱２の柱上変圧器３から引込線４、電力量計５、およびケーブル５Ａを経由して、系統電力の供給を受ける。屋外装置２０は、図４に示すように、表示部２１、監視部２２、切替スイッチ２３、制御部２４、送受信部２５、および切替駆動部２６を備えている。なお、図４ではプラグ１６およびコネクタ２０1の図示を省略している。
【００２１】
表示部２１は、制御部２４の制御によって各種データを表示する。この実施の形態では、表示部２１は、
「代替電力供給中」
「残存容量（残存時間）：○○○Ｗｈ（××時間）」
を含む表示をする。監視部２２は、電力量計５に接続されているケーブル５Ａから供給される系統電力の状態を監視して、停電や復電などの監視結果を制御部２４に送る。送受信部２５は、信号線１５Ｂを介して代替電源装置１０の監視部１３と各種の信号を送受信し、また、信号線１５Ｃを介して屋内装置３０と各種の信号の送受信をする。切替スイッチ２３は、端子２３Ａ〜２３Ｃを備え、切替駆動部２６の切替制御によって端子２３Ａと端子２３Ｂとの間の接続、または、端子２３Ａと端子２３Ｃとの間の接続を行う。通常、端子２３Ａと端子２３Ｂとの間が接続されている。切替スイッチ２３の端子２３Ａは電源ケーブル１５Ｄを介して屋内装置３０と接続されている。切替駆動部２６は、制御部２４の指示によって切替スイッチ２３を駆動して切り替える切替制御を行う。
【００２２】
制御部２４は、屋外装置２０に関連する処理として、接続確認処理、停電検知処理、給電開始処理、容量確認処理、給電終了、および撤去処理をする。
【００２３】
制御部２４は次のようにして接続確認処理をする。制御部２４は、代替電源装置１０の接続状態を検知するために、代替電源装置１０の監視部１３に向けて問合わせ信号を送る。この後、監視部１３から応答信号を受け取ると、制御部２４は代替電源装置１０が接続されていると判断する。問合わせ信号を所定回数送っても応答信号が返ってこなければ、制御部２４は代替電源装置１０が撤去されていると判断する。制御部２４は、代替電源装置１０が接続されていると判断すると、送受信部２５を経由して屋内装置３０に対して、代替電源装置１０の接続を示す接続状態信号を送り、代替電源装置１０が撤去されていると、代替電源装置１０の撤去を示す接続状態信号を送る。
【００２４】
制御部２４は次のようにして停電検知処理をする。制御部２４は、監視部２２から受け取った監視結果から、電力量計５に接続されているケーブル５Ａから供給される系統電力の停電または復電を検知する。
【００２５】
制御部２４は次のようにして給電開始処理をする。制御部２４は、停電検知処理で停電を検知すると、送受信部２５を経由して、代替電源装置１０の監視部１３および屋内装置３０に対して、給電開始を示す給電制御信号を送る。これによって、代替電源装置１０の代替電源部１８が代替電力を切替スイッチ２３の端子２３Ｃに出力する。同時に、制御部２４は切替スイッチ２３の切替制御をするように切替駆動部２６に指示を出す。これによって、切替スイッチ２３は端子２３Ａと端子２３Ｃとの間を接続する。さらに、制御部２４は表示部２１を制御して「代替電力供給中」の表示をする。
【００２６】
制御部２４は次のようにして容量確認処理をする。制御部２４は、給電開始処理の後、代替電源装置１０の監視部１３から受け取った監視信号が示すバッテリ１１の状態、つまりバッテリ１１の残容量と残時間とを、表示部２１を制御して表示する。また、監視部１３から受け取った監視信号を屋内装置３０に転送する。さらに、制御部２４は、残時間が約１０〜１５分程度になると、残容量が少なくなったことを表す警告信号を、送受信部２５を経由して屋内装置３０に送る。
【００２７】
制御部２４は次のようにして給電終了処理をする。制御部２４は、監視部２２が復電を検知すると、切替スイッチ２３の切替制御をするように切替駆動部２６に指示を出す。これによって、切替スイッチ２３は端子２３Ａと端子２３Ｂとの間を接続する。同時に、制御部２４は、送受信部２５を経由して、代替電源装置１０の監視部１３および屋内装置３０に対して、給電終了を表す給電制御信号を送る。これによって、代替電源部１８が代替電力の出力を停止する。また、制御部２４は、表示部２１を制御して「代替電力供給中」の表示を止める。
【００２８】
制御部２４は次のようにして撤去処理をする。制御部２４は、先に述べた接続確認処理で代替電源装置１０の撤去を検知すると、代替電源装置１０の撤去を示す接続状態信号を、送受信部２５を経由して屋内装置３０に送る。
【００２９】
次に、屋内装置３０について説明する。屋内装置３０は、住宅１の内側、例えば内壁に設置されて用いられ、また、屋外装置２０に接続されている。宅内で使用される屋内装置３０は、図５に示すように、メインブレーカ３１、重要回路ブレーカ３２、その他ブレーカ群３３、送受信部３４、切替駆動部３５、切替スイッチ３６、制御部３７、表示部３８、および出力部３９を備えている。
【００３０】
メインブレーカ３１は、分電盤に設置されているものであり、電源ケーブル１５Ｄから家庭内の機器である負荷に供給される交流電力の電流制限や漏電遮断をする。重要回路ブレーカ３２は、家庭内の重要機器への引き込み口に接続されている。重要回路ブレーカ３２は、メインブレーカ３１からの系統電力または代替電力である交流電力を重要機器へ供給する際の電流制限などを行う。重要機器は需要家によって選択されたものであり、停電による影響が大きなものである。重要機器には例えばコンピュータなどがある。切替スイッチ３６は、端子３６Ａ、３６Ｂを備え、切替駆動部３５の切替制御によって端子３６Ａと端子３６Ｂとの間の接続、開放を行う。通常、端子３６Ａと端子３６Ｂとの間が接続されている。端子３６Ａと端子３６Ｂとの間が接続状態にあると、切替スイッチ３６は、メインブレーカ３１からの交流電力をその他ブレーカ群３３に送る。その他ブレーカ群３３は、家庭内のその他機器への引き込み口に接続されている複数のブレーカからなる。その他ブレーカ群３３は、メインブレーカ３１からの交流電力をその他機器へ供給する際の電流制限などを行う。その他機器は需要家によって選択されたものであり、停電による影響が少ないものである。その他機器には例えばキッチンで用いられる機器などがある。切替駆動部３５は、制御部３７の指示によって切替スイッチ３６を駆動して切り替える切替制御を行う。送受信部３４は、信号線１５Ｃを介して屋外装置２０の送受信部２５と各種の信号を送受信する。表示部３８は、制御部３７の制御によって各種データを表示する。この実施の形態では、表示部３８は、
「代替電源接続」
「代替電力供給中」
「残存容量（残存時間）：○○○Ｗｈ（××時間）」
「代替電源撤去」
を含む表示をする。出力部３９は、制御部３７の制御によって、アラームを知らせるアラーム音を出力する。出力部３９が出力するアラーム音はアラームの内容によって異なる。
【００３１】
制御部３７は、屋内装置３０に関連する処理として、接続状態表示処理、給電開始処理、バッテリ状態表示処理、給電終了処理、および撤去処理を行う。
【００３２】
制御部３７は次のようにして接続状態表示処理を行う。制御部３７は、送受信部３４を経由して屋外装置２０から接続状態信号を受け取ると、表示部３８を制御して、この信号が示す代替電源装置１０の接続状態を「代替電源接続」と表示する。また、制御部３７は常に最新の接続状態信号を保持する。
【００３３】
制御部３７は次のようにして給電開始処理をする。制御部３７は、送受信部３４を経由して屋外装置２０から、代替電源装置１０による給電開始を示す給電制御信号を受け取ると、切替スイッチ３６の切替制御をするように切替駆動部３５に指示を出す。これによって、切替スイッチ３６は端子３６Ａと端子３６Ｂとの間を開放する。同時に、制御部３７は、表示部３８を制御して「代替電力供給中」の表示をすると共に、出力部３９を制御してアラーム音を出力する。
【００３４】
制御部３７は次のようにしてバッテリ状態表示処理を行う。制御部３７は、給電開始処理の後、送受信部３４を経由して屋外装置２０から受け取った監視信号が示すバッテリ１１の状態である残容量と残時間とを、表示部３８を制御して表示する。さらに、制御部３７は、残時間が約１０〜１５分程度になったことを示す警告信号を、送受信部３４を経由して屋外装置２０から受け取ると、表示部３８を制御して残容量が少なくなったことを表すと共に、出力部３９を制御してアラーム音を出力する。このときのアラーム音は、「代替電力供給中」を示すアラーム音と異なる。
【００３５】
制御部３７は次のようにして給電終了処理をする。制御部３７は、送受信部３４を経由して屋外装置２０から給電終了を表す給電制御信号を受け取ると、切替スイッチ３６の切替制御をするように切替駆動部３５に指示を出す。これによって、切替スイッチ３６は端子３６Ａと端子３６Ｂとの間を接続する。また、制御部３７は、表示部３８を制御して「代替電力供給中」の表示を止める。
【００３６】
制御部３７は次のようにして撤去処理をする。制御部３７は、例えば復電の後で、送受信部３４を経由して屋外装置２０から、代替電源装置１０の撤去を示す接続状態信号を受け取ると、この信号を保持すると共に、表示部３８を制御して「代替電源撤去」を表示する。また、この後で屋外装置２０から給電開始を示す給電制御信号を受け取っても、制御部３７は給電開始処理をしない。
【００３７】
次に、この実施の形態の動作について説明する。図６および図７に示すように、屋外装置２０は、接続確認処理をして代替電源装置１０に問合わせ信号を送る。代替電源装置１０が応答信号を送ると、屋外装置２０は代替電源装置１０の接続を示す接続状態信号を屋内装置３０に送る。屋内装置３０は、接続状態表示処理をして「代替電源接続」を表示する。
【００３８】
この後、屋外装置２０は、停電検知処理により系統電力の停電を検出すると、給電開始処理をする。これにより、屋外装置２０は、給電開始を示す給電制御信号を代替電源装置１０と屋内装置３０とに送る。代替電源装置１０は、給電開始の給電制御信号を受け取ると、代替電力を屋外装置２０に出力する。代替電源装置１０から代替電力が屋外装置２０に供給されると、屋外装置２０は切替スイッチ２３の切替制御によって、代替電力を屋内装置３０に出力する。また、屋外装置２０は、給電開始処理をすると「代替電力供給中」の表示をする。
【００３９】
一方、屋内装置３０は、給電開始の給電制御信号を受け取ると、給電開始処理により切替スイッチ３６の切替制御をして、その他ブレーカ群３３への電力供給を停止すると共に、屋外装置２０からの代替電力を重要回路ブレーカ３２を経て重要機器へ供給する。これにより、重要機器に対して、系統電力から代替電力への切り替えを無停電で行うことができる。また、屋内装置３０は、屋外装置２０から給電開始の給電制御信号を受け取ると、「代替電力供給中」の表示をすると共にアラーム音を出力する。
【００４０】
代替電力の供給が始まり、代替電源装置１０がバッテリ１１の状態を示す監視信号を屋外装置２０に送る。屋外装置２０は、容量確認処理により、監視信号が示すバッテリ１１の残容量と残時間とを、例えば「残存容量（残存時間）：○○○Ｗｈ（××時間）」のように表示する。また、屋外装置２０は、代替電源装置１０からの監視信号を屋内装置３０に転送する。屋内装置３０は、監視信号を受け取ると、バッテリ状態表示処理により、監視信号が示すバッテリ１１の残容量と残時間とを、例えば「残存容量（残存時間）：○○○Ｗｈ（××時間）」のように表示する。バッテリ１１の残時間が約１０〜１５分程度になると、屋外装置２０は、残容量が少なくなったことを表す警告信号を屋内装置３０に送る。屋内装置３０は、警告信号を受け取ると、バッテリ状態表示処理により、残容量が少なくなったことを表示すると共にアラーム音を出力する。
【００４１】
この後で例えば系統電力が復電すると、屋外装置２０は、給電終了処理により、切替スイッチ２３の切替制御をして系統電力を屋内装置３０に供給すると共に、代替電源装置１０と屋内装置３０に、給電終了を表す給電制御信号を送る。代替電源装置１０は、給電終了の給電制御信号を受け取ると、代替電力の出力を停止する。また、屋外装置２０は、復電を検知すると、「代替電力供給中」の表示を止める。
【００４２】
一方、屋内装置３０は、給電終了の給電制御信号を受け取ると、給電終了処理により切替スイッチ３６の切替制御をして、系統電力をその他ブレーカ群３３へ供給すると共に、この系統電力を重要回路ブレーカ３２を経て重要機器へ供給する。これにより、重要機器に対して、代替電力から系統電力への切り替えを無停電で行うことができる。また、屋内装置３０は「代替電力供給中」の表示を止める。
【００４３】
この後、もし代替電源装置１０が撤去されると、屋外装置２０は問合わせ信号を出力しても、応答信号を得ることができないので、撤去処理により代替電源装置１０の撤去を検知する。これにより、屋外装置２０は代替電源装置１０の撤去を示す接続状態信号を屋内装置３０に送る。屋内装置３０はこの接続状態信号を受け取ると、撤去処理によりこの信号を保持すると共に「代替電源撤去」を表示する。また、この後で、屋外装置２０から給電開始を示す給電制御信号を受け取っても、屋内装置３０は給電開始処理をしない。
【００４４】
以上、この実施の形態によれば、代替電源装置１０のプラグ１６と屋外装置２０のコネクタ２０1とにより、代替電源装置１０が屋外装置２０と着脱が自在であるので、代替電源装置１０のバッテリ１１の残容量が少なくなった場合に需要家が不在であっても、代替電源装置１０の交換が可能である。この場合、代替電源装置１０にはコロ１４Ａが取り付けられているので、人手による代替電源装置１０の移動、交換が容易であり、作業性が極めて良好である。さらに、あらかじめ代替電源装置１０を設置しておけば、系統電力が停電しても、代替電力を重要機器に無停電切替で供給することができる。
【００４５】
（実施の形態２）
この実施の形態では、実施の形態１による系統電力代替電源装置を用いたレンタルシステムについて説明する。この実施の形態によるレンタルシステムは、図８に示すように、図１の代替電源装置１０をレンタルするための仕組みであり、「事前段階」（ステップＳ１）、「代替電源手配・設置段階」（ステップＳ２）、「代替電源撤去段階」（ステップＳ３）の３段階に分かれている。この実施の形態では、図示を省略しているが、電力会社と需要家との間の連絡等はコンピュータや携帯端末などを用いて行われる。
【００４６】
ステップＳ１の「事前段階」では、電力会社からの「代替電源レンタル宅配事業案内」をインターネット等を介して知った需要家が案内の内容を検討し、代替電源装置１０をレンタルするための契約を電力会社と結ぶ。これにより、需要家の住宅１には屋外装置２０と屋内装置３０とが設置される。このとき、需要家は、重要機器を選択し、重要回路ブレーカ３２からの電力を出力するコンセントに需要機器の電源ケーブルを接続する。なお、屋外装置２０および屋内装置３０の設置は住宅１の新築時やリフォーム時が最適であるが、屋外装置２０および屋内装置３０に対する結線が容易であれば、この実施の形態のように随時の設置も可能である。
【００４７】
ステップＳ２の「代替電源手配・設置段階」では、例えば電力会社による作業で作業停電が発生する場合、電力会社は具体的な「作業停電計画策定」を行い、作業停電の発生する日や時刻等を需要家に連絡する。需要家は停電に備えて代替電源装置１０の設置を検討する。需要家が代替電源装置１０の依頼を電力会社に申し込むと、電力会社は「代替電源設置手配」をして、需要家の住宅１の屋外装置２０に代替電源装置１０を設置する。このとき、代替電源装置１０は、コロ１４Ａにより人手による移動が容易であり、また、プラグ１６により屋外装置２０との着脱が簡単である。
【００４８】
この後、代替電源装置１０と屋外装置２０と屋内装置３０との間で、先に説明した図６および図７の処理が行われる。
【００４９】
ステップＳ３の「代替電源撤去段階」では、系統停電が解消した後で電力会社が代替電源装置１０の撤去を連絡した場合、または、需要家からの撤去依頼があった場合、電力会社は系統電力の供給が正常であるかどうか等の系統状態を把握する。代替電源装置１０の撤去をしても問題が無いと確認した場合、代替電源装置１０の撤去を需要家に連絡すると共に、代替電源装置１０の撤去を手配する。これにより、代替電源装置１０が撤去される。
【００５０】
一方、ステップＳ２の「代替電源手配・設置段階」では、需要家が事故停電などのような不意の停電に備えて、代替電源装置１０の常備を検討する場合がある。需要家が代替電源装置１０の依頼を電力会社に申し込むと、電力会社は代替電源装置１０を手配して、需要家の住宅１の屋外装置２０に設置する。この後、代替電源装置１０と屋外装置２０と屋内装置３０との間で、先に説明した図６および図７の処理が行われる。そして、屋内装置３０が代替電源装置１０の残容量が少なくなったことを表すと共にアラーム音を出力すると、需要家が電力会社に代替電源装置１０の撤去と次ぎの代替電源装置１０の設置を連絡する。
【００５１】
代替電力の料金請求方式としては、例えば電力会社との契約者は電気基本料金に含め、他電力会社の契約者は月額あたりの基本料金と利用料金とを請求するなどの各種の方法がある。
【００５２】
以上、この実施の形態により、代替電源装置１０の宅配レンタルを可能にする。つまり、電力会社が代替電力を提供するサービスを需要家に提供することを可能にする。また、代替電源装置１０が系統電力と同等の代替電力を出力するので、系統電力の使用量計算と同様に代替電力の料金計算も容易である。また、代替電源装置１０の撤去や交換の際に需要家が不在であっても、代替電源を容易に設置することができる。さらに、この実施の形態による代替電源装置１０の宅配レンタルは電気自動車への適用も可能である。
【００５３】
以上、この発明の実施の形態１、２を詳述してきたが、具体的な構成はこれらの実施の形態に限られるものではなく、この発明の要旨を逸脱しない範囲の設計の変更等があっても、この発明に含まれる。例えば、図６および図７に示す系統電力代替方法は一例であって、残容量が少ないこと検知することは随時に可能である。また、実施の形態１では、複合ケーブル１５を代替電源装置１０から引き出された状態にしたが、複合ケーブル１５を屋外装置２０から引き出す形態としてもよい。この場合には、代替電源装置１０にコネクタを設ける。
【図面の簡単な説明】
【００５４】
【図１】この発明の実施の形態１による系統電力代替電源装置を示す構成図である。
【図２】代替電源装置を示す構成図である。
【図３】代替電源回路を示すブロックである。
【図４】屋外装置を示すブロック図である。
【図５】屋内装置を示すブロック図である。
【図６】実施の形態１による系統電力代替方法を示すシーケンス図である。
【図７】実施の形態１による系統電力代替方法を示すシーケンス図である。
【図８】実施の形態２による系統電力代替電源装置を用いたレンタルシステムを説明する説明図である。
【符号の説明】
【００５５】
１  住宅
２  電柱
３  柱上変圧器
４  引込線
５  電力量計
５Ａ  ケーブル
１０  代替電源装置
１１  バッテリ
１２  コンバータ
１３  監視部
１４  容器
１４Ａ  コロ
１５  複合ケーブル
１５Ａ、１５Ｄ  電源ケーブル
１５Ｂ、１５Ｃ  信号線
１６  プラグ
１７  コネクタ
１８  代替電源部
１９  代替電源回路
２０  屋外装置
２０1  コネクタ
２１  表示部
２２  監視部
２３  切替スイッチ
２４  制御部
２５  送受信部
２６  切替駆動部
３０  屋内装置
３１  メインブレーカ
３２  重要回路ブレーカ
３３  その他ブレーカ群
３４  送受信部
３５  切替駆動部
３６  切替スイッチ
３７  制御部
３８  表示部
３９  出力部
【図１】
2007259573.tif 000003
【図２】
2007259573.tif 000004
【図３】
2007259573.tif 000005
【図４】
2007259573.tif 000006
【図５】
2007259573.tif 000007
【図６】
2007259573.tif 000008
【図７】
2007259573.tif 000009
【図８】
2007259573.tif 000010